(57)【要約】【課題】ＡＴＭ伝送装置において、２重化された伝送路の無瞬断切替に関し、伝送装置の回路規模、ソフトウェア規模を拡大させないような切替を実現することを目的とする。【解決手段】ＡＴＭ伝送装置１０は、現用系の有線伝送路１３よりＡＴＭ伝送装置１１に対して切替タイミング検出用のループバックセルを送信し、ＡＴＭ伝送装置１１より折返し送信されたループバックセルを現用系の有線伝送路１３及び予備系の有線伝送路１４のそれぞれより受信し、先に到着したループバックセルの受信の際に伝送路の切替処理を開始し、後に到着したループバックセルの受信の際に伝送路の切替処理を完了することで、伝送路の無瞬断切替を実現する。【選択図】　　　　図１
2004007141.tif 000002
【特許請求の範囲】
【請求項１】
対向装置との間のデータ伝送路として現用系伝送路と予備系伝送路とが配設され、所定の場合に、前記対向装置からのデータ受信に用いる伝送路を前記現用系伝送路から前記予備系伝送路に切替える通信装置であって、
前記現用系伝送路を用いて前記対向装置からのデータ受信を行うとともに、所定の場合に、切替タイミング検出用の切替タイミング検出データを少なくとも前記現用系伝送路より前記対向装置に対して送信し、
前記切替タイミング検出データを受信した前記対向装置が前記切替タイミング検出データを前記現用系伝送路及び前記予備系伝送路へ折返し送信した際に、前記現用系伝送路へ折返し送信された現用系折返し切替タイミング検出データを前記現用系伝送路より受信し、前記予備系伝送路へ折返し送信された予備系折返し切替タイミング検出データを前記予備系伝送路より受信し、
前記現用系折返し切替タイミング検出データ及び前記予備系折返し切替タイミング検出データのうちの一方の受信が他方の受信に先立つ場合に、先の折返し切替タイミング検出データの受信の際に伝送路の切替処理を開始し、後の折返し切替タイミング検出データの受信の際に伝送路の切替処理を完了することを特徴とする通信装置。
【請求項２】
前記通信装置は、
伝送路の切替処理の前は、前記現用系伝送路及び前記予備系伝送路より同一のデータを受信し、前記現用系伝送路からの受信データを維持し、前記予備系伝送路からの受信データを破棄しており、
前記対向装置に対して前記切替タイミング検出データを送信した後に、
前記現用系折返し切替タイミング検出データを前記予備系折返し切替タイミング検出データよりも先に受信した場合に、前記現用系折返し切替タイミング検出データの受信以降は前記現用系伝送路からのデータ受信を停止し、前記予備系折返し切替タイミング検出データの受信以降は前記予備系伝送路からの受信データを維持し、
前記予備系折返し切替タイミング検出データを前記現用系折返し切替タイミング検出データよりも先に受信した場合に、前記予備系折返し切替タイミング検出データの受信以降は前記予備系伝送路からの受信データをバッファリングし、前記現用系折返し切替タイミング検出データの受信以降は前記現用系伝送路からのデータ受信を停止することを特徴とする請求項１に記載の通信装置。
【請求項３】
前記通信装置は、
前記対向装置に対して前記切替タイミング検出データを送信した後所定時間を経過しても前記現用系折返し切替タイミング検出データ及び前記予備系折返し切替タイミング検出データを受信しない場合に、前記所定時間の経過の際に伝送路の切替処理を行うことを特徴とする請求項１に記載の通信装置。
【請求項４】
対向装置との間に配設されたデータ伝送路に対する通信インタフェースとして現用系通信インタフェース部及び予備系通信インタフェース部を備え、所定の場合に、前記対向装置へのデータ送信に用いる通信インタフェースを前記現用系通信インタフェース部から前記予備系通信インタフェース部に切替える通信装置であって、
前記現用系通信インタフェース部を用いて前記対向装置へのデータ送信を行うとともに、所定の場合に、切替タイミング検出用の切替タイミング検出データを前記現用系通信インタフェース部及び前記予備系通信インタフェース部に出力し、
前記現用系通信インタフェース部では、
入力した前記切替タイミング検出データを前記対向装置に対して送信するとともに、前記切替タイミング検出データ以降の送信データについてはデータ送信を停止し、
前記予備系通信インタフェース部では、
前記切替タイミング検出データの入力の際に、前記切替タイミング検出データ以降の送信データについて通信インタフェースの切替処理を開始し、
前記現用系通信インタフェース部より送信された前記切替タイミング検出データを受信した前記対向装置が前記切替タイミング検出データを折返し送信した際に、折返し送信された折返し切替タイミング検出データを受信し、
前記折返し切替タイミング検出データの受信の際に、通信インタフェースの切替処理を完了することを特徴とする通信装置。
【請求項５】
前記通信装置は、
通信インタフェースの切替処理前は、前記現用系通信インタフェース部及び前記予備系通信インタフェース部に同一の送信データを出力し、前記現用系通信インタフェース部では、入力した送信データを前記対向装置に対して送信し、前記予備系通信インタフェース部では、入力した送信データを破棄しており、
前記切替タイミング検出データを前記現用系通信インタフェース部及び前記予備系通信インタフェース部に出力した場合に、
前記現用系通信インタフェース部では、
入力した前記切替タイミング検出データを前記対向装置に対して送信するとともに、前記切替タイミング検出データ以降の送信データについてはデータ送信を停止し、
前記予備系通信インタフェース部では、
前記切替タイミング検出データの入力の際に、前記切替タイミング検出データ以降の送信データについてバッファリングを開始し、
前記対向装置からの前記折返し切替タイミング検出データの受信の際に、バッファリングしている送信データを前記対向装置に対して送信することを特徴とする請求項４に記載の通信装置。
【請求項６】
前記予備系通信インタフェース部は、
前記現用系通信インタフェース部より前記切替タイミング検出データが送信された後所定時間を経過しても前記折返し切替タイミング検出データを受信しない場合に、前記所定時間の経過の際に通信インタフェースの切替処理を行うことを特徴とする請求項４に記載の通信装置。
【請求項７】
対向装置との間のデータ伝送路として現用系伝送路と予備系伝送路とが配設された通信装置において、前記対向装置からのデータ受信に用いる伝送路を前記現用系伝送路から前記予備系伝送路に切替える切替方法であって、
切替タイミング検出用の切替タイミング検出データを少なくとも前記現用系伝送路より前記対向装置に対して送信し、
前記切替タイミング検出データを受信した前記対向装置が前記切替タイミング検出データを前記現用系伝送路及び前記予備系伝送路へ折返し送信した際に、前記現用系伝送路へ折返し送信された現用系折返し切替タイミング検出データを前記現用系伝送路より受信し、前記予備系伝送路へ折返し送信された予備系折返し切替タイミング検出データを前記予備系伝送路より受信し、
前記現用系折返し切替タイミング検出データ及び前記予備系折返し切替タイミング検出データのうちの一方の受信が他方の受信に先立つ場合に、先の折返し切替タイミング検出データの受信の際に伝送路の切替処理を開始し、後の折返し切替タイミング検出データの受信の際に伝送路の切替処理を完了することを特徴とする切替方法。
【請求項８】
対向装置との間に配設されたデータ伝送路に対する通信インタフェースとして現用系通信インタフェース部及び予備系通信インタフェース部を備えた通信装置において、前記対向装置へのデータ送信に用いる通信インタフェースを前記現用系通信インタフェース部から前記予備系通信インタフェース部に切替える切替方法であって、
切替タイミング検出用の切替タイミング検出データを前記現用系通信インタフェース部及び前記予備系通信インタフェース部に出力し、
前記切替タイミング検出データを前記現用系通信インタフェース部から前記対向装置に対して送信させるとともに、前記切替タイミング検出データ以降の送信データについて前記現用系通信インタフェース部からのデータ送信を停止させ、前記予備系通信インタフェース部における前記切替タイミング検出データの入力の際に、前記切替タイミング検出データ以降の送信データについて前記予備系通信インタフェース部に通信インタフェースの切替処理を開始させ、
前記現用系通信インタフェース部より送信された前記切替タイミング検出データを受信した前記対向装置が前記切替タイミング検出データを折返し送信した際に、折返し送信された折返し切替タイミング検出データを前記予備系通信インタフェース部に受信させ、
前記折返し切替タイミング検出データの受信の際に、前記予備系通信インタフェース部に通信インタフェースの切替処理を完了させることを特徴とする切替方法。
【発明の詳細な説明】
【０００１】
【発明の属する技術分野】
本発明は、例えばＡＴＭ（Ａｓｙｎｃｈｒｏｎｏｕｓ　Ｔｒａｎｓｆｅｒ　Ｍｏｄｅ）網内の２つの伝送装置間伝送路を２重化して接続するシステム、または、ＡＴＭ網内の伝送装置間伝送路１本に対して、接続される伝送装置の通信インタフェースが２重化されているシステムについて、保守・運用のためにユーザへのサービスを中断することなく、伝送路または通信インタフェースを現用系から予備系へ無瞬断で切替える技術に関するものである。
【０００２】
【従来の技術】
ＡＴＭ伝送装置等の通信装置において、保守・運用のために、伝送路を現用系、予備系で２重化しておき、ユーザへのサービスを中断することなく伝送路の切替えを行う無瞬断切替え方式については、従来から検討がなされている。
例えば、特開平４−３３７９３５号公報は、切替えフラグセルを新たに定義し、それを使用した無瞬断切替え方式が示されている。本公報では、ＡＴＭクロスコネクト装置内のインタフェース部で挿入された切替えフラグセルを同ＡＴＭクロスコネクト装置内の多重化（ＭＵＸ）部が認識することにより、多重化部の無瞬断切替えを実施する例が示されている。
また、特開平８−１８６５７５号公報は、モニタリングセルを使用した無瞬断切替え方式が示されている。伝送路上流側の伝送装置においては、伝送路の信号にモニタリングセルを挿入し、伝送路下流側の伝送装置においては、現用系、予備系の伝送路上を流れるモニタリングセルにより両伝送路の伝送遅延を認識しながら両系のセル流が一致したときに伝送路の無瞬断切替えを実施する例が示されている。
【０００３】
【発明が解決しようとする課題】
上述した切替えフラグセルを使用した無瞬断切替え方式は、ＡＴＭクロスコネクト装置内のインタフェース部を伝送路上流側の伝送装置、ＡＴＭクロスコネクト装置内の多重化部を伝送路下流側の伝送装置と置き換えて、伝送路の無瞬断切替えを考慮できるが、伝送路下流側伝送装置の系切替えを行うためには、伝送路上流側の伝送装置に切替えフラグセルを送出する機能を持たせなくてはならないという問題点があった。
またモニタリングセルを使用した無瞬断切替え方式は、伝送路下流側の伝送装置において、両伝送路の伝送遅延を認識しながら両系のセル流が一致するか監視する機能を持たせなくてはならず、回路規模が大きくなるという問題点があった。
そこで、本発明は、これらの機能を付加することなく、無瞬断切替えを可能とする装置及び方法を実現する。
【０００４】
【課題を解決するための手段】
本発明に係る通信装置は、
対向装置との間のデータ伝送路として現用系伝送路と予備系伝送路とが配設され、所定の場合に、前記対向装置からのデータ受信に用いる伝送路を前記現用系伝送路から前記予備系伝送路に切替える通信装置であって、
前記現用系伝送路を用いて前記対向装置からのデータ受信を行うとともに、所定の場合に、切替タイミング検出用の切替タイミング検出データを少なくとも前記現用系伝送路より前記対向装置に対して送信し、
前記切替タイミング検出データを受信した前記対向装置が前記切替タイミング検出データを前記現用系伝送路及び前記予備系伝送路へ折返し送信した際に、前記現用系伝送路へ折返し送信された現用系折返し切替タイミング検出データを前記現用系伝送路より受信し、前記予備系伝送路へ折返し送信された予備系折返し切替タイミング検出データを前記予備系伝送路より受信し、
前記現用系折返し切替タイミング検出データ及び前記予備系折返し切替タイミング検出データのうちの一方の受信が他方の受信に先立つ場合に、先の折返し切替タイミング検出データの受信の際に伝送路の切替処理を開始し、後の折返し切替タイミング検出データの受信の際に伝送路の切替処理を完了することを特徴とする。
【０００５】
前記通信装置は、
伝送路の切替処理の前は、前記現用系伝送路及び前記予備系伝送路より同一のデータを受信し、前記現用系伝送路からの受信データを維持し、前記予備系伝送路からの受信データを破棄しており、
前記対向装置に対して前記切替タイミング検出データを送信した後に、
前記現用系折返し切替タイミング検出データを前記予備系折返し切替タイミング検出データよりも先に受信した場合に、前記現用系折返し切替タイミング検出データの受信以降は前記現用系伝送路からのデータ受信を停止し、前記予備系折返し切替タイミング検出データの受信以降は前記予備系伝送路からの受信データを維持し、
前記予備系折返し切替タイミング検出データを前記現用系折返し切替タイミング検出データよりも先に受信した場合に、前記予備系折返し切替タイミング検出データの受信以降は前記予備系伝送路からの受信データをバッファリングし、前記現用系折返し切替タイミング検出データの受信以降は前記現用系伝送路からのデータ受信を停止することを特徴とする。
【０００６】
前記通信装置は、
前記対向装置に対して前記切替タイミング検出データを送信した後所定時間を経過しても前記現用系折返し切替タイミング検出データ及び前記予備系折返し切替タイミング検出データを受信しない場合に、前記所定時間の経過の際に伝送路の切替処理を行うことを特徴とする。
【０００７】
本発明に係る通信装置は、
対向装置との間に配設されたデータ伝送路に対する通信インタフェースとして現用系通信インタフェース部及び予備系通信インタフェース部を備え、所定の場合に、前記対向装置へのデータ送信に用いる通信インタフェースを前記現用系通信インタフェース部から前記予備系通信インタフェース部に切替える通信装置であって、
前記現用系通信インタフェース部を用いて前記対向装置へのデータ送信を行うとともに、所定の場合に、切替タイミング検出用の切替タイミング検出データを前記現用系通信インタフェース部及び前記予備系通信インタフェース部に出力し、
前記現用系通信インタフェース部では、
入力した前記切替タイミング検出データを前記対向装置に対して送信するとともに、前記切替タイミング検出データ以降の送信データについてはデータ送信を停止し、
前記予備系通信インタフェース部では、
前記切替タイミング検出データの入力の際に、前記切替タイミング検出データ以降の送信データについて通信インタフェースの切替処理を開始し、
前記現用系通信インタフェース部より送信された前記切替タイミング検出データを受信した前記対向装置が前記切替タイミング検出データを折返し送信した際に、折返し送信された折返し切替タイミング検出データを受信し、
前記折返し切替タイミング検出データの受信の際に、通信インタフェースの切替処理を完了することを特徴とする。
【０００８】
前記通信装置は、
通信インタフェースの切替処理前は、前記現用系通信インタフェース部及び前記予備系通信インタフェース部に同一の送信データを出力し、前記現用系通信インタフェース部では、入力した送信データを前記対向装置に対して送信し、前記予備系通信インタフェース部では、入力した送信データを破棄しており、
前記切替タイミング検出データを前記現用系通信インタフェース部及び前記予備系通信インタフェース部に出力した場合に、
前記現用系通信インタフェース部では、
入力した前記切替タイミング検出データを前記対向装置に対して送信するとともに、前記切替タイミング検出データ以降の送信データについてはデータ送信を停止し、
前記予備系通信インタフェース部では、
前記切替タイミング検出データの入力の際に、前記切替タイミング検出データ以降の送信データについてバッファリングを開始し、
前記対向装置からの前記折返し切替タイミング検出データの受信の際に、バッファリングしている送信データを前記対向装置に対して送信することを特徴とする。
【０００９】
前記予備系通信インタフェース部は、
前記現用系通信インタフェース部より前記切替タイミング検出データが送信された後所定時間を経過しても前記折返し切替タイミング検出データを受信しない場合に、前記所定時間の経過の際に通信インタフェースの切替処理を行うことを特徴とする。
【００１０】
本発明に係る切替方法は、
対向装置との間のデータ伝送路として現用系伝送路と予備系伝送路とが配設された通信装置において、前記対向装置からのデータ受信に用いる伝送路を前記現用系伝送路から前記予備系伝送路に切替える切替方法であって、
切替タイミング検出用の切替タイミング検出データを少なくとも前記現用系伝送路より前記対向装置に対して送信し、
前記切替タイミング検出データを受信した前記対向装置が前記切替タイミング検出データを前記現用系伝送路及び前記予備系伝送路へ折返し送信した際に、前記現用系伝送路へ折返し送信された現用系折返し切替タイミング検出データを前記現用系伝送路より受信し、前記予備系伝送路へ折返し送信された予備系折返し切替タイミング検出データを前記予備系伝送路より受信し、
前記現用系折返し切替タイミング検出データ及び前記予備系折返し切替タイミング検出データのうちの一方の受信が他方の受信に先立つ場合に、先の折返し切替タイミング検出データの受信の際に伝送路の切替処理を開始し、後の折返し切替タイミング検出データの受信の際に伝送路の切替処理を完了することを特徴とする。
【００１１】
本発明に係る切替方法は、
対向装置との間に配設されたデータ伝送路に対する通信インタフェースとして現用系通信インタフェース部及び予備系通信インタフェース部を備えた通信装置において、前記対向装置へのデータ送信に用いる通信インタフェースを前記現用系通信インタフェース部から前記予備系通信インタフェース部に切替える切替方法であって、
切替タイミング検出用の切替タイミング検出データを前記現用系通信インタフェース部及び前記予備系通信インタフェース部に出力し、
前記切替タイミング検出データを前記現用系通信インタフェース部から前記対向装置に対して送信させるとともに、前記切替タイミング検出データ以降の送信データについて前記現用系通信インタフェース部からのデータ送信を停止させ、前記予備系通信インタフェース部における前記切替タイミング検出データの入力の際に、前記切替タイミング検出データ以降の送信データについて前記予備系通信インタフェース部に通信インタフェースの切替処理を開始させ、
前記現用系通信インタフェース部より送信された前記切替タイミング検出データを受信した前記対向装置が前記切替タイミング検出データを折返し送信した際に、折返し送信された折返し切替タイミング検出データを前記予備系通信インタフェース部に受信させ、
前記折返し切替タイミング検出データの受信の際に、前記予備系通信インタフェース部に通信インタフェースの切替処理を完了させることを特徴とする。
【００１２】
【発明の実施の形態】
実施の形態１．
図１、図３、図４を用いて本発明の第１の実施の形態を説明する。
図１は、実施の形態１のＡＴＭ網の構成を示す図であり、ＡＴＭ伝送装置１０とＡＴＭ伝送装置１１との間の２重化された伝送路の無瞬断切替えを行うものである。図１に示すように、ＡＴＭ伝送装置１０とＡＴＭ伝送装置１１との間には、有線伝送路１２、有線伝送路１３が配設されている。なお、以下の説明では、ＡＴＭ伝送装置１０を本発明に係る通信装置の例として説明し、ＡＴＭ伝送装置１１を対向装置の例として説明する。
【００１３】
図３は、ＩＴＵ−Ｔ勧告Ｉ．６１０に記述されているループバックセルのフォーマットを示す図である。なお、ループバックセルは、切替タイミング検出用の切替タイミング検出データの例に相当する。
【００１４】
図４は、信号送受信部１０２内の切替え処理の構成を示す図である。
【００１５】
図１のＡＴＭ伝送装置１０の構成を説明する。
信号送受信部１０２は現用系インタフェース部１０３、予備系インタフェース部１０４にマルチキャストで信号を送信し、また、対向装置からインタフェース部を通して受信した信号を処理する。現用系インタフェース部１０３、予備系インタフェース部１０４はそれぞれ有線伝送路１２、１３に接続されており、対向するＡＴＭ伝送装置１１のインタフェース部１１３、１１４と合わせて２重化された伝送路を構成する。伝送路の切替処理の前は、対向装置たるＡＴＭ伝送装置１１より現用系の有線伝送路１２を通じて送信され現用系インタフェース部１０３にて受信されたデータセルは、信号送受信部１０２に渡され、維持される。一方、予備系の有線伝送路１３を通じて送信され予備系インタフェース部１０４にて受信されたデータセルは、信号送受信部１０２に渡された後破棄される。
保守制御部１０１は２重化された伝送路の切替えを指示する。
【００１６】
次にＡＴＭ伝送装置１１の構成を説明する。現用系インタフェース部１１３、予備系インタフェース部１１４は上述したとおりそれぞれ有線伝送路１２、１３に接続されており、信号送受信部１１２はＡＴＭ伝送装置１０と同様、対向装置からインタフェース部１１３、１１４を通して信号を受信し、またインタフェース部１１３、１１４にマルチキャストで信号を送信する。なお、信号送受信部１１２はループバックセルを折り返す機能を備えているものとする。
【００１７】
図１の構成においてループバックセルを使用することで、伝送路の無瞬断切替えを行う方法を以下に説明する。
保守制御部１０１から切替えを指示された現用系インタフェース部１０３はＬｏｏｐ　Ｂａｃｋ　Ｉｎｄｉｃａｔｉｏｎ　３０９に”０００００００１”をセットしたループバックセルを送信する。この際にループバックセルのＣｏｒｒｅｌａｔｉｏｎ　Ｔａｇ　３１０について、切替えを示す任意のコードを用意し、セットする。
ループバックセルを受信したＡＴＭ伝送装置１１は、信号送受信部１１２においてループバックセルを折り返し、マルチキャストでインタフェース部１１３、１１４に送信し、現用系インタフェース部１１３は現用系の有線伝送路１３にループバックセルを送出し、予備系インタフェース部１１４は予備系の有線伝送路１４にループバックセルを送出する。なお、現用系の有線伝送路１３に送出されたループバックセルは、現用系折返し切替タイミング検出データに相当し、予備系の有線伝送路１４に送出されたループバックセルは、予備系折返し切替タイミング検出データに相当する。
【００１８】
折り返されたループバックセルを２つの伝送路から受信したＡＴＭ伝送装置１０は、信号送受信部１０２内ループバックセル検出部１０２ａにてＬｏｏｐ　Ｂａｃｋ　Ｉｎｄｉｃａｔｉｏｎ　３０９が”００００００００”であること、Ｃｏｒｒｅｌａｔｉｏｎ　Ｔａｇ　３１０が切替えを示すコードであることを認識する。
現用系インタフェース部１０３からの切替え用ループバックセル受信が、予備系インタフェース部１０４からの切替え用ループバックセル受信より早い場合、受信信号処理部１０２ｄは現用系インタフェース部１０３からの切替え用ループバックセル以降のデータセル受信を止め（送信路の切替処理の開始）、予備系インタフェース部１０４からの切替え用ループバックセルが受信された際に切替え用ループバックセル以降のデータセルを維持し、信号送受信部１０２に渡す（伝送路の切替処理の完了）。
予備系インタフェース部１０４からの切替え用ループバックセル受信が、現用系インタフェース部１０３からの切替え用ループバックセル受信より早い場合、予備系インタフェース部１０４から受信した切替え用ループバックセルより後のデータセルをバッファ１０２ｃでバッファリングし（送信路の切替処理の開始）、現用系インタフェース部１０３からの切替え用ループバックセル受信の後、現用系の有線伝送路１３からのデータセル受信を停止し、現用系の有線伝送路１３からのデータセル受信停止後、予備系のバッファ１０２ｃでバッファリングしたデータセルを含め予備系の有線伝送路１４からのデータセル受信を開始する（伝送路の切替処理の完了）。
このことにより、伝送路の無瞬断切替え処理を実現する。
【００１９】
なお、以上の説明は、ＡＴＭ伝送装置１１からのデータセルの受信についてＡＴＭ伝送装置１０が伝送路の無瞬断切替えを行う場合について説明したが、逆の場合も同様の処理を行うことで、ＡＴＭ伝送装置１０からのデータセルの受信についてＡＴＭ伝送装置１１が伝送路の無瞬断切替えを行うことができる。つまり、ＡＴＭ伝送装置１１をＡＴＭ伝送装置１０と同様の構成とし、ＡＴＭ伝送装置１１よりループバックセルを送信することで無瞬断切替えが可能となる。この場合には、ＡＴＭ伝送装置１１が本発明に係る通信装置に相当し、ＡＴＭ伝送装置１０が対向装置に相当する。
【００２０】
以上のように、本実施の形態によれば、２重化された伝送路を無瞬断で切替える機能を備える際に、対向伝送装置にはループバックセルに対する折り返し機能以外の特別な機能を持たせる必要がないという利点、さらには切替えタイミングが明確であり、両系のセル流を比較する必要がないという利点があり、伝送装置の回路規模、ソフトウェア規模を拡大させない。
【００２１】
実施の形態２．
図２、図５、図６を用いて本発明の第２の実施の形態を説明する。
図２の構成を説明する。
ＡＴＭ伝送装置２０の信号送受信部２０２は現用系インタフェース部２０３、予備系インタフェース部２０４にマルチキャストで信号を送信し、また、対向装置からインタフェース部を通して受信した信号を処理する。これは、実施の形態１の信号送受信部１０２と同様である。ＡＴＭ伝送装置２０の現用系インタフェース部２０３、予備系インタフェース部２０４は同一の有線伝送路２２に接続されており、ＡＴＭ伝送装置２０のインタフェース部は２重化されている。
通信インタフェースの切替処理の前は、信号送受信部２０２から送信されたデータセルのうち現用系インタフェース部２０３に送信されたデータセルが有線伝送路２２に送出され対向装置たるＡＴＭ伝送装置２１に送信され、予備系インタフェース部２０４にて送信されたデータセルは、予備系インタフェース部２０４内で破棄され、有線伝送路２２には送出されない。
保守制御部２０１は２重化されたインタフェース部の切替えを信号送受信部２０２に指示する。
なお、以下の説明では、ＡＴＭ伝送装置２０本発明に係る通信装置の例として説明し、ＡＴＭ伝送装置２１を対向装置の例として説明する。
ＡＴＭ伝送装置２１は有線伝送路２２に接続されており、ループバックセルを折り返す機能を備えているものとする。
【００２２】
図５は、現用系インタフェース部２０３内のループバックセル検出処理の構成を示す図である。
【００２３】
図６は、予備系インタフェース部２０４内のループバックセル検出処理の構成を示す図である。
【００２４】
図２の構成においてループバックセルを使用することで、ＡＴＭ伝送装置２０のインタフェース部の無瞬断切替えを行う方法を以下に説明する。
保守制御部２０１から切替えを指示された信号送受信部２０２は、実施の形態１と同様な手順で生成した切替え用ループバックセル（切替タイミング検出データ）を、現用系インタフェース部２０３、予備系インタフェース部２０４にマルチキャストで送信する。
現用系インタフェース部２０３は、ループバックセル検出部２０３ａにおいて切替え用ループバックセルを検出することで、切替え開始を認識し、切替え用ループバックセルまでを有線伝送路２２に送信し、切替え用ループバックセル以降のデータセルについては、送信を停止する。
一方、予備系インタフェース部２０４はループバックセル検出部２０４ａにおいて切替え用ループバックセル（折返し切替タイミング検出データ）を検出することで、切替え用ループバックセルにより切替え開始を認識し、切替え用ループバックセルまでのデータセルを廃棄し、以降のデータセルをバッファ２０４ｂにバッファリングする（通信インタフェースの切替処理の開始）。
ＡＴＭ伝送装置２１で折り返されたループバックセルを予備系インタフェース部２０４はループバックセル検出部２０４ａにおいて検出した後、バッファリングしていたデータセルを有線伝送路２２に送信開始する（通信インタフェースの切替処理の完了）。
【００２５】
なお、以上の説明は、ＡＴＭ伝送装置２０からデータセルを送信する際の無瞬断切替えについて説明したが、逆の場合も同様の処理を行うことで、ＡＴＭ伝送装置２１からデータセルを送信する際の無瞬断切替えを行うことができる。つまり、ＡＴＭ伝送装置２１を、ＡＴＭ伝送装置２０と同様の構成とし、ＡＴＭ伝送装置２１よりループバックセルを送信することで無瞬断切替えが可能となる。この場合には、ＡＴＭ伝送装置２１が本発明に係る通信装置に相当し、ＡＴＭ伝送装置２０が対向装置に相当する。
【００２６】
また、信号送受信部２０２における受信側の切替え処理は、実施の形態１と同様に実施する。
このことにより、ＡＴＭ伝送装置インタフェース部の無瞬断切替え処理を実現する。
【００２７】
以上のように、本実施の形態によれば、伝送装置の２重化されたインタフェース部を無瞬断で切替える機能を備える際に、対向伝送装置にはループバックセルに対する折り返し機能以外の特別な機能を持たせる必要がないという利点、さらには切替えタイミングが明確であり、両系のセル流を比較する必要がないという利点があり、伝送装置の回路規模、ソフトウェア規模を拡大させない。
【００２８】
実施の形態３．
図７を用いて本発明の第３の実施の形態を示す。
図７は図４の構成に、保守制御部１０１からの切替え開始通知に対して起動するタイマ１０２ｅを付け加えた構成を示す図である。
実施の形態１において、保守制御部１０１から信号送受信部１０２に切替え開始を知らせ、タイマ１０２ｅを起動する。タイマ１０２ｅ満了までに切替え用のループバックセル（現用系折返し切替タイミング検出データ及び予備系折返し切替タイミング検出データ）を受信しなかった場合は強制的に予備系伝送路に切替えることで、現用系に何らかの障害が発生していても予備系に切替え可能である。
【００２９】
実施の形態４．
図７、図８を用いて本発明の第４の実施の形態を示す。
図７は実施の形態３に記載した通りである。
図８は図６の構成に、信号送受信部２０２からの切替え用ループバックセル検出に対して起動するタイマ２０４ｄを付け加えた構成を示す図である。
実施の形態２において、保守制御部１０１から信号送受信部１０２に切替え開始を指示された時に、タイマ１０２ｅを起動し、また、信号送受信部２０２から送信された切替え用ループバックセルを予備系インタフェース部２０４で検出した時に、タイマ２０４ｄを起動する。タイマ１０２ｅ、２０４ｄ満了までに切替え用のループバックセル（折返し切替タイミング検出データ）を受信しなかった場合は強制的に予備系インタフェース部に切替えることで、現用系に何らかの障害が発生していても予備系に切替え可能である。
【００３０】
なお、以上の実施の形態１〜４では、本発明に係る通信装置の例であるＡＴＭ伝送装置について説明したが、実施の形態１〜４に示した処理手順により本発明に係る切替方法も実現可能である。
【００３１】
ここで、実施の形態１〜４に示したＡＴＭ伝送装置の特徴を以下にて再言する。
実施の形態１に示すＡＴＭ伝送装置は、
現用系と予備系に常に同じデータセルが流れている伝送路に接続されているＡＴＭ伝送装置であって、保守切替え時に切替えを示すループバックセルを送信する機能と、対向装置にて折り返されたループバックセルを受信した際に、現用系と予備系から受信するループバックセルを目印に伝送路を切替える機能を備えることを特徴とする。
【００３２】
実施の形態２に示すＡＴＭ伝送装置は、
有線伝送路のインタフェース部が２重化されているＡＴＭ伝送装置にであって、保守切替え時に切替えを示すループバックセルを送信する機能と、ループバックセル送信とともにインタフェース部の切替え処理を開始し、対向装置にて折り返されたループバックセルを受信した際にインタフェース部の切替え処理を完了させる機能を備えることを特徴とする。
【００３３】
実施の形態３に示すＡＴＭ伝送装置は、
ループバックセル受信失敗時に、現用系伝送路を障害状態とみなし、強制的に伝送路の切替えを行う機能を備えることを特徴とする。
【００３４】
実施の形態４に示すＡＴＭ伝送装置は、
ループバックセル受信失敗時に、ＡＴＭ伝送装置の現用系インタフェース部を障害状態とみなし、強制的にインタフェース部の切替えを行う機能を備えることを特徴とする。
【００３５】
【発明の効果】
以上のように、本発明によれば、２重化された伝送路の切替えにおいて、対向装置における切替タイミング検出データの折返し送信以外は特別な機能を持たせる必要がなく、さらには切替えタイミングが明確であり、両系のデータ流を比較する必要がない。このため、伝送装置の回路規模、ソフトウェア規模を拡大させないという効果がある。
【００３６】
また、本発明によれば、２重化された通信インタフェースの切替えにおいて、対向装置における切替タイミング検出データの折返し送信以外は特別な機能を持たせる必要がなく、さらには切替えタイミングが明確であり、両系のデータ流を比較する必要がない。このため、伝送装置の回路規模、ソフトウェア規模を拡大させないという効果がある。
【００３７】
また、本発明によれば、２重化された伝送路の切替えにおいて、現用系伝送路に何らかの障害が発生している場合でも、予備系伝送路への切替えが可能である。
【００３８】
また、本発明によれば、２重化された通信インタフェースの切替えにおいて、現用系通信インタフェース部に何らかの障害が発生している場合でも、予備系通信インタフェース部への切替えが可能である。
【図面の簡単な説明】
【図１】実施の形態１に係るＡＴＭ網の構成例を示す図。
【図２】実施の形態２に係るＡＴＭ網の構成例を示す図。
【図３】ループバックセルの構成例を示す図。
【図４】実施の形態１に係るＡＴＭ伝送装置の内部構成例を示す図。
【図５】実施の形態２に係るＡＴＭ伝送装置の内部構成例を示す図。
【図６】実施の形態２に係るＡＴＭ伝送装置の内部構成例を示す図。
【図７】実施の形態３に係るＡＴＭ伝送装置の内部構成例を示す図。
【図８】実施の形態４に係るＡＴＭ伝送装置の内部構成例を示す図。
【符号の説明】
１０　ＡＴＭ伝送装置、１１　ＡＴＭ伝送装置、１２　有線伝送路、１３　有線伝送路、２０　ＡＴＭ伝送装置、２１　ＡＴＭ伝送装置、２２　有線伝送路、１０１　保守制御部、１０２　信号送受信部、１０２ａ　ループバックセル検出部、１０２ｂ　バッファ、１０２ｅ　タイマ、１０３ｃ　バッファ、１０２ｄ　受信信号処理部、１０３　現用系インタフェース部、１０４　予備系インタフェース部、１１３　現用系インタフェース部、１１４　予備系インタフェース部、２０１　保守制御部、２０２　信号送受信部、２０３　現用系インタフェース部、２０４　予備系インタフェース部、２０３ａ　ループバックセル検出部、２０３ｂ　バッファ、２０４ａ　ループバックセル検出部、２０４ｂ　バッファ、２０４ｃ　バッファ、２０４ｄ　タイマ。
【図１】
2004007141.tif 000003
【図２】
2004007141.tif 000004
【図３】
2004007141.tif 000005
【図４】
2004007141.tif 000006
【図５】
2004007141.tif 000007
【図６】
2004007141.tif 000008
【図７】
2004007141.tif 000009
【図８】
2004007141.tif 000010